【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
撮像面に形成された光学像の撮像結果を出力する撮像素子と、
前記撮像面に前記光学像を形成する光学系と、
前記撮像結果をアナログディジタル変換処理して画質補正前の画像データを出力するアナログディジタル変換部と、
前記画質補正前の画像データを画質補正処理して画質補正済みの画像データを出力する画像処理部と、
前記画質補正済みの画像データによる画像を表示する表示部と、
前記画質補正前の画像データを間引きして画質補正前のサムネイル画像データを生成する画質補正前のサムネイル画像データ生成部と、
前記画質補正前の画像データ、前記画質補正前のサムネイル画像データ、少なくとも前記画像処理部における前記画質補正処理を特定する画質補正情報を有する撮影時の撮影情報により、前記撮像結果のファイルを作成して出力するデータ出力部とを有する
ことを特徴とする撮像装置。
【請求項２】
前記撮像結果のファイルが、
前記撮影時の撮影情報に対応する編集処理による撮影情報を追加記録可能なファイルである
ことを特徴とする請求項１に記載の撮像装置。
【請求項３】
前記撮影時の撮影情報が、
前記画質補正情報と、前記光学系の設定の情報である
ことを特徴とする請求項１に記載の撮像装置。
【請求項４】
前記画質補正済みの画像データより画質補正済みのサムネイル画像データを生成する画質補正済みのサムネイル画像データ生成部を有し、
前記データ出力部は、
前記画質補正前の画像データ、前記画質補正前のサムネイル画像データ、前記撮影時の撮影情報に、前記画質補正済みのサムネイル画像データを加えて、前記撮像結果のファイルを作成する
ことを特徴とする請求項１に記載の撮像装置。
【請求項５】
撮像素子から得られる撮像結果による画像データを画質補正処理して表示部に表示する撮像結果の処理方法において、
前記画質補正処理の前の画像データである画質補正前の画像データ、前記画質補正前の画像データを間引きした画質補正前のサムネイル画像データ、少なくとも前記画質補正処理を特定する画質補正情報を有する撮影時の撮影情報により、前記撮像結果のファイルを作成して出力するデータ出力のステップを有する
ことを特徴とする撮像結果の処理方法。
【請求項６】
前記撮像結果のファイルが、
前記撮影時の撮影情報に対応する編集処理による撮影情報を追加記録可能なファイルである
ことを特徴とする請求項５に記載の撮像結果の処理方法。
【請求項７】
撮像装置により得られる撮像結果のファイルを処理する画像処理装置において、
前記撮像装置は、
撮像面に形成された光学像の撮影結果を出力する撮像素子と、
前記撮像面に前記光学像を形成する光学系と、
前記撮像結果をアナログディジタル変換処理して画質補正前の画像データを出力するアナログディジタル変換部と、
前記画質補正前の画像データを画質補正して画質補正済みの画像データを出力する画像処理部と、
前記画質補正済みの画像データによる画像を表示する表示部と、
前記画質補正前の画像データを間引きして画質補正前のサムネイル画像データを生成する画質補正前のサムネイル画像データ生成部と、
前記画質補正前の画像データ、前記画質補正前のサムネイル画像データ、少なくとも前記画像処理部における前記画質補正処理を特定する画質補正情報を有する撮影時の撮影情報により、前記撮像結果のファイルを作成して出力するデータ出力部とを有し、
前記画像処理装置は、
前記撮像結果のファイルを取得するデータ取得部と、
前記データ取得部で取得した前記撮像結果のファイルに設けられた画質補正情報により、前記サムネイル画像データを画質補正して、前記画質補正済みの画像データに対応する画質補正済みのサムネイル画像データを生成する画像処理部と、
前記画質補正済みのサムネイル画像データによる画像を表示する画像表示部とを有し、
前記画像表示部による前記画質補正済みのサムネイル画像データによる画像の表示が、前記データ取得部で取得した前記撮像結果のファイルの一覧表示である
ことを特徴とする画像処理装置。
【請求項８】
撮像装置により得られる撮像結果のファイルを処理する撮像結果の処理方法において、
前記撮像結果のファイルが、
表示に供する画質補正を実行する前の画質補正前の画像データ、前記画質補正前の画像データを間引きした画質補正前のサムネイル画像データ、少なくとも前記画質補正処理を特定する画質補正情報を有する前記画像データの撮影時の撮影情報を有し、
前記撮像結果の処理方法は、
前記撮像結果のファイルを取得するデータ取得のステップと、
前記データ取得のステップで取得した前記撮像結果のファイルに設けられた画質補正情報により、前記画質補正前のサムネイル画像データを画質補正して、前記画質補正前の画像データを前記撮影情報により画質補正した画質補正済みの画像データに対応する画質補正済みのサムネイル画像データを生成する画像処理のステップと、
前記画質補正済みのサムネイル画像データによる画像を表示する画像表示のステップとを有し、
前記画像表示のステップによる前記画質補正済みのサムネイル画像データによる画像の表示が、前記データ取得のステップで取得した前記撮像結果のファイルの一覧表示である
ことを特徴とする撮像結果の処理方法。
【請求項９】
前記撮影時の撮影情報に対応する編集処理による撮影情報の入力を受け付ける入力のステップと、
前記編集処理による撮影情報により、前記画質補正前のサムネイル画像データを画質補正して表示する編集画像の表示ステップと、
前記編集処理による撮影情報を前記撮像結果のファイルに追加記録する編集処理による撮影情報記録ステップとを有する
ことを特徴とする請求項８に記載の撮像結果の処理方法。
【請求項１０】
前記編集画像の表示ステップは、
前記画質補正前の画像データを前記編集処理による撮影情報により画質補正して編集時における画質補正済みの画像データを生成し、前記編集時における画質補正済みの画像データによる画像を、前記画質補正済みのサムネイル画像データによる画像の表示に置き換えて表示する
ことを特徴とする請求項９に記載の撮像結果の処理方法。
【請求項１１】
前記編集画像による表示ステップによる前記画質補正済みのサムネイル画像データによる画像の表示が、プレビューによる画像であり、
前記プレビューによる画像を部分的に拡大した拡大画像を表示する拡大画像の表示ステップを有し、
前記拡大画像の表示ステップは、
前記プレビューに供する前記画質補正済みのサムネイル画像データを拡大して表示した後、
前記画質補正前の画像データを前記編集処理による撮影情報により画質補正して編集時における画質補正済みの画像データを生成し、前記編集時における画質補正済みの画像データによる画像を、前記画質補正済みのサムネイル画像データによる画像の表示に置き換えて表示する
ことを特徴とする請求項９に記載の撮像結果の処理方法。
【請求項１２】
撮像装置により得られる撮像結果のファイルを処理する撮像結果の処理方法のプログラムにおいて、
前記撮像結果のファイルが、
表示に供する画質補正を実行する前の画質補正前の画像データ、前記画質補正前の画像データを間引きした画質補正前のサムネイル画像データ、少なくとも前記画質補正処理を特定する画質補正情報を有する前記画像データの撮影時の撮影情報を有し、
前記撮像結果の処理方法のプログラムは、
前記撮像結果のファイルを取得するデータ取得のステップと、
前記データ取得のステップで取得した前記撮像結果のファイルに設けられた前記画質補正情報により、前記画質補正前のサムネイル画像データを画質補正して、前記画質補正前の画像データを前記撮影情報により画質補正した画質補正済みの画像データに対応する画質補正済みのサムネイル画像データを生成する画像処理のステップと、
前記画質補正済みのサムネイル画像データによる画像を表示する画像表示のステップとを有し、
前記画像表示のステップによる前記画質補正済みサムネイル画像データによる画像の表示が、前記データ取得のステップで取得した前記撮像結果のファイルの一覧表示である
ことを特徴とする撮像結果の処理方法のプログラム。
【請求項１３】
前記撮影時の撮影情報に対応する編集処理による撮影情報の入力を受け付ける入力のステップと、
前記編集処理による撮影情報により、前記画質補正前のサムネイル画像データを画質補正して表示する編集画像の表示ステップと、
前記編集処理による撮影情報を前記撮像結果のファイルに追加記録する編集処理による撮影情報記録ステップとを有する
ことを特徴とする請求項１２に記載の撮像結果の処理方法のプログラム。
【請求項１４】
撮像装置により得られる撮像結果のファイルを処理する撮像結果の処理方法のプログラムを記録した記録媒体において、
前記撮像結果のファイルが、
表示に供する画質補正を実行する前の画質補正前の画像データ、前記画質補正前の画像データを間引きした画質補正前のサムネイル画像データ、少なくとも前記画質補正処理を特定する画質補正情報を有する前記画像データの撮影時の撮影情報を有し、
前記撮像結果の処理方法のプログラムは、
前記撮像結果のファイルを取得するデータ取得のステップと、
前記データ取得のステップで取得した前記撮像結果のファイルに設けられた前記画質補
正情報により、前記画質補正前のサムネイル画像データを画質補正して、前記画質補正前の画像データを前記撮影情報により画質補正した画質補正済みの画像データに対応する画質補正済みのサムネイル画像データを生成する画像処理のステップと、
前記画質補正済みのサムネイル画像データによる画像を表示する画像表示のステップとを有し、
前記画像表示のステップによる前記画質補正済みのサムネイル画像データによる画像の表示が、前記データ取得のステップで取得した前記撮像結果のファイルの一覧表示である
ことを特徴とする撮像結果の処理方法のプログラムを記録した記録媒体。
【請求項１５】
前記撮影時の撮影情報に対応する編集処理による撮影情報の入力を受け付ける入力のステップと、
前記編集処理による撮影情報により、前記画質補正前のサムネイル画像データを画質補正して表示する編集画像の表示ステップと、
前記編集処理による撮影情報を前記撮像結果のファイルに追加記録する編集処理による撮影情報記録ステップとを有する
ことを特徴とする請求項１４に記載の撮像結果の処理方法のプログラムを記録した記録媒体。
【請求項１６】
撮像結果を取得して処理する撮像結果の処理システムにおいて、
前記撮像結果を取得する撮像装置と、
前記撮像結果を処理する画像処理装置とを有し、
前記撮像装置は、
撮像面に形成された光学像の撮像結果を出力する撮像素子と、
前記撮像面に前記光学像を形成する光学系と、
前記撮像結果をアナログディジタル変換処理して画質補正前の画像データを出力するアナログディジタル変換部と、
前記画質補正前の画像データを画質補正処理して画質補正済みの画像データを出力する画像処理部と、
前記画質補正済みの画像データによる画像を表示する表示部と、
前記画質補正前の画像データを間引きして画質補正前のサムネイル画像データを生成する画質補正前のサムネイル画像データ生成部と、
前記画質補正前の画像データ、前記画質補正前のサムネイル画像データ、少なくとも前記画像処理部における前記画質補正処理を特定する画質補正情報を有する撮影時の撮影情報により、前記撮像結果のファイルを作成して出力するデータ出力部を有し、
前記画像処理装置は、
前記撮像結果のファイルを取得するデータ取得部と、
前記データ取得部で取得した前記撮像結果のファイルに設けられた前記画質補正情報により、前記画質補正前のサムネイル画像データを画質補正して、前記画質補正前の画像データを前記撮影情報により画質補正した画質補正済みの画像データに対応する画質補正済みのサムネイル画像データを生成する画像処理部と、
前記画質補正済みのサムネイル画像データによる画像を表示する画像表示部とを有し、
前記画像表示部による前記画質補正済みのサムネイル画像データによる画像の表示が、前記データ取得部で取得した前記撮像結果のファイルの一覧表示である
ことを特徴とする撮像結果の処理システム。
【手続補正２】
【補正対象書類名】明細書
【補正対象項目名】０００３
【補正方法】変更
【補正の内容】
【０００３】
このようなＲＡＷデータに係る電子スチルカメラに関して、特開平６−９０４３５号公報、特開２００３−３４６１４３号公報等には、記録媒体に記録された撮像結果をコンピュータにより処理する際に、記録媒体に記録されたＲＡＷデータを間引きしてサムネイル画像を生成し、このサムネイル画像により撮像結果を表示する方法が提案されている。この方法によれば、このサムネイル画像によりプレビューの処理を実行することにより、編集結果の確認に要する時間を短くすることができ、その分、ユーザーの使い勝手を向上することができる。
【手続補正３】
【補正対象書類名】明細書
【補正対象項目名】０００９
【補正方法】変更
【補正の内容】
【０００９】
また請求項７の発明は、撮像装置により得られる撮像結果のファイルを処理する画像処理装置に適用して、前記撮像装置は、撮像面に形成された光学像の撮影結果を出力する撮像素子と、前記撮像面に前記光学像を形成する光学系と、前記撮像結果をアナログディジタル変換処理して画質補正前の画像データを出力するアナログディジタル変換部と、前記画質補正前の画像データを画質補正して画質補正済みの画像データを出力する画像処理部と、前記画質補正済みの画像データによる画像を表示する表示部と、前記画質補正前の画像データを間引きして画質補正前のサムネイル画像データを生成する画質補正前のサムネイル画像データ生成部と、前記画質補正前の画像データ、前記画質補正前のサムネイル画像データ、少なくとも前記画像処理部における前記画質補正処理を特定する画質補正情報を有する撮影時の撮影情報により、前記撮像結果のファイルを作成して出力するデータ出力部を有し、前記画像処理装置は、前記撮像結果のファイルを取得するデータ取得部と、前記データ取得部で取得した前記撮像結果のファイルに設けられた画質補正情報により、前記サムネイル画像データを画質補正して、前記画質補正済みの画像データに対応する画質補正済みのサムネイル画像データを生成する画像処理部と、前記画質補正済みのサムネイル画像データによる画像を表示する画像表示部とを有し、前記画像表示部による前記画質補正済みのサムネイル画像データによる画像の表示が、前記データ取得部で取得した前記撮像結果のファイルの一覧表示であるようにする。
【手続補正４】
【補正対象書類名】明細書
【補正対象項目名】００１３
【補正方法】変更
【補正の内容】
【００１３】
また請求項１６の発明は、撮像結果を取得して処理する撮像結果の処理システムに適用して、撮像結果を取得して処理する撮像結果の処理システムに適用して、撮像結果を取得する撮像装置と、前記撮像結果を処理する画像処理装置とを有し、前記撮像装置は、撮像面に形成された光学像の撮像結果を出力する撮像素子と、前記撮像面に前記光学像を形成する光学系と、前記撮像結果をアナログディジタル変換処理して画質補正前の画像データを出力するアナログディジタル変換部と、前記画質補正前の画像データを画質補正処理して画質補正済みの画像データを出力する画像処理部と、前記画質補正済みの画像データによる画像を表示する表示部と、前記画質補正前の画像データを間引きして画質補正前のサムネイル画像データを生成する画質補正前のサムネイル画像データ生成部と、前記画質補正前の画像データ、前記画質補正前のサムネイル画像データ、少なくとも前記画像処理部における前記画質補正処理を特定する画質補正情報を有する撮影時の撮影情報により、前記撮像結果のファイルを作成して出力するデータ出力部を有し、前記画像処理装置は、前記撮像結果のファイルを取得するデータ取得部と、前記データ取得部で取得した前記撮像結果のファイルに設けられた画質補正情報により、前記画質補正前のサムネイル画像データを画質補正して、前記画質補正前の画像データを前記撮影情報により画質補正した画質補正済みの画像データに対応する画質補正済みのサムネイル画像データを生成する画像処理部と、前記画質補正済みのサムネイル画像データによる画像を表示する画像表示部とを有し、前記画像表示部による前記画質補正済みのサムネイル画像データによる画像の表示が、前記データ取得部で取得した前記撮像結果のファイルの一覧表示であるようにする。
【手続補正５】
【補正対象書類名】明細書
【補正対象項目名】００２４
【補正方法】変更
【補正の内容】
【００２４】
光学補正回路５は、この前処理回路４から出力される画像データを欠陥補正処理し、ＲＡＷデータＤＲによる画像データを出力する。
【手続補正６】
【補正対象書類名】明細書
【補正対象項目名】００２５
【補正方法】変更
【補正の内容】
【００２５】
画像処理回路６は、このＲＡＷデータＤＲによる画像データを入力し、解像度変換処理、ガンマ補正処理、ホワイトバランス処理、画質調整処理等による画質補正処理を順次実行して、画質補正済みの画像データを出力する。この電子スチルカメラ１は、この画像処理回路６から出力される画質補正済みの画像データにより図示しない表示装置に撮像結果のモニタ画像を表示する。
【手続補正７】
【補正対象書類名】明細書
【補正対象項目名】００２７
【補正方法】変更
【補正の内容】
【００２７】
インターフェース（ＩＦ）８は、このエンコーダ７の出力データを記録媒体９に記録する。また中央処理ユニット２の制御により動作を切り換え、ＲＡＷデータファイル生成回路１０から出力されるＲＡＷデータファイルのデータを記録媒体９に記録する。また記録媒体９に記録されたデータを再生して各部に出力する。
【手続補正８】
【補正対象書類名】明細書
【補正対象項目名】００３４
【補正方法】変更
【補正の内容】
【００３４】
またＲＡＷデータファイルは、続くフィールドＦ６〜Ｆ１１に、同様の撮影情報を所定個数だけ記録可能な領域が設定される。ＲＡＷデータファイルは、この領域に、編集処理の撮影情報ＤＳ１〜ＤＳ３が記録される。ここで編集処理の撮影情報ＤＳ１〜ＤＳ３は、撮像時の撮影情報ＤＳ０に対応して編集処理で設定される撮影情報である。撮影情報ＤＳ１〜ＤＳ３は、それぞれメイン画像データの撮影情報ＤＳ０に対応する情報に履歴の情報が追加されて、メイン画像データの撮影情報ＤＳ０と同様に２つのフィールドに分割されてフィールドＦ６〜Ｆ１１に順次割り当てられる。なお履歴の情報は、撮影情報ＤＳ１〜ＤＳ３をＲＡＷデータファイルに設定した日時の情報である。
【手続補正９】
【補正対象書類名】明細書
【補正対象項目名】００５２
【補正方法】変更
【補正の内容】
【００５２】
中央処理ユニット２３は、このサブメニューの選択によりユーザーがフォルダ又は記録媒体９に記録された撮像結果の一覧表示を指示すると、このユーザーの指示に係るフォルダ又は記録媒体９に記録されたファイルの情報をこれらフォルダ又は記録媒体９のファイル管理システムから取得し、この編集プログラムにより処理可能なファイルを選択する。またこの選択したファイルによるサムネイル画像をサブウインドウＭ２により一覧表示する。
【手続補正１０】
【補正対象書類名】明細書
【補正対象項目名】００６９
【補正方法】変更
【補正の内容】
【００６９】
またこのとき図１０に示すように、サブウインドウＭ５５を表示し、このユーザーの選択したサムネイル画像に係るＲＡＷデータファイルについて、このＲＡＷデータファイルに設定された撮影情報ＤＳ０〜ＤＳ３の種類を併せて表示する。ここで図１０に示す例において、撮影時に設定は、撮影時の撮影情報ＤＳ０を示す。また履歴１〜履歴３は、編集処理による撮影情報ＤＳ１〜ＤＳ３をそれぞれ示し、このコンピュータ２１における後述する編集処理により記録された撮影情報である。また明るめに補正は、同様に、コンピュータ２１における編集処理により、ユーザーがタイトルを付けて記録した撮影情報である。
【手続補正１１】
【補正対象書類名】明細書
【補正対象項目名】００７２
【補正方法】変更
【補正の内容】
【００７２】
また中央処理ユニット２３は、同時に、サブウインドウＭ６によりプレビュー画面を表示して撮像結果を表示し（図４）、またユーザーによる指示に応動して、このプレビュー画面に表示した撮像結果の各種解析結果をサブウインドウＭ７により表示する。ここでこの解析結果による表示は、図５（Ｂ）について上述した各色信号の階調分布によるヒストグラム表示、図４に示す輝度の階調分布によるヒストグラム表示等である。
【手続補正１２】
【補正対象書類名】明細書
【補正対象項目名】００８１
【補正方法】変更
【補正の内容】
【００８１】
またステップＳＰ２９において、このステップＳＰ２８で処理したＲＡＷデータＤＲによる画像により、サブウインドウＭ３又はメイン画面Ｍ１の表示を置き換え、ステップＳＰ２６に移ってこの処理手順を終了する。
【手続補正１３】
【補正対象書類名】明細書
【補正対象項目名】００９１
【補正方法】変更
【補正の内容】
【００９１】
またこの撮影時の撮影情報には、画像処理回路６による画質補正処理を特定する画質補正情報に加えて、シャッター速度、絞り等の光学系の設定の情報が含まれ、これにより編集処理においては、電子スチルカメラ１における撮影時の操作に対応する各種の設定を変更して種々に編集処理することができる。
【手続補正１４】
【補正対象書類名】明細書
【補正対象項目名】００９４
【補正方法】変更
【補正の内容】
【００９４】
またこの一覧表示において、撮像結果における輝度分布、色のヒストグラム等の、画像データの解析結果の表示が指示された場合には、サムネイル画像データの処理により表示に供する解析結果が検出され、この解析結果による特性曲線がサムネイル画像と共に表示される（図５（Ｂ））。この表示にあっても、この実施例では、サムネイル画像データによる解析により実行されることにより、格段的に短時間で解析結果を取得して表示することができ、これによっても従来に比してユーザーの使い勝手を向上することができる。
【手続補正１５】
【補正対象書類名】明細書
【補正対象項目名】００９５
【補正方法】変更
【補正の内容】
【００９５】
すなわちＲＡＷデータによる撮像結果は、このようにしてサムネイル画像が表示された状態で、ユーザーによる操作に応動して撮影時の撮影情報ＤＳ０等が表示され（図９及び図１０）、編集用のメニュー画面Ｍ５が表示され、またこの編集用のメニュー画面Ｍ５におけるユーザーの操作に応動して、サムネイル画像データが画質補正処理されてプレビュー画面Ｍ６が表示され（図４）、またこのプレビュー画面Ｍ６に表示された撮像結果の解析結果が表示される（図４、Ｍ７）。
【手続補正１６】
【補正対象書類名】明細書
【補正対象項目名】０１１４
【補正方法】変更
【補正の内容】
【０１１４】
【図１】本発明の実施例に係る電子スチルカメラを示すブロック図である。
【図２】図１の電子スチルカメラによるファイルフォーマットを示す図表である。
【図３】図１の電子スチルカメラによる撮像結果を処理するコンピュータの構成を示すブロック図である。
【図４】図３のコンピュータによる編集プログラムの表示画面を示す平面図である。
【図５】図４の表示画面におけるサブウインドウを示す平面図である。
【図６】図５のサブウインドウの表示に係る処理手順を示すフローチャートである。
【図７】図４の表示画面における撮像結果の表示を示す平面図である。
【図８】図７の撮像結果の表示に係る処理手順を示すフローチャートである。
【図９】撮影情報の表示を示す平面図である。
【図１０】撮影情報の種類の表示を示す平面図である。
【図１１】編集処理の説明に供する平面図である。
【図１２】編集処理における処理手順を示すフローチャートである。
【手続補正１７】
【補正対象書類名】図面
【補正対象項目名】図７
【補正方法】変更
【補正の内容】
【図７】
2006340120.tif 000001
【手続補正１８】
【補正対象書類名】図面
【補正対象項目名】図１０
【補正方法】変更
【補正の内容】
【図１０】
2006340120.tif 000002